(57)【特許請求の範囲】
【請求項１】
先端側の周囲表面に開口部が配設される挿入機器の挿入部を洗浄する洗浄システムであって、
前記挿入部の種類毎に用意され、前記挿入部の先端部を収納するとともに、前記先端部に配設され且つ前記開口部から起上する揺動台が最大起上角度と最大倒置角度との間で起上して本体部の内周面に当接する状態に、前記挿入部の前記先端部を位置決めする位置決め機構を有する筒状の本体部と、
前記本体部の内部と連通するように前記本体部に配設され、前記本体部の内部に収納された前記挿入部の前記開口部に向けて流体を供給する供給孔部と、
用意される前記挿入部それぞれに対応する前記本体部に対して共有され、前記供給孔部に向けて前記流体を供給し、前記供給孔部に着脱自在な供給機構と、
を具備する洗浄システム。
【請求項２】
複数の前記本体部は、前記挿入部の種類に応じて用意される請求項１に記載の洗浄システム。
【請求項３】
前記供給孔部と前記供給機構との一方に配設される第１の口金部と、前記供給孔部と前記供給機構との残りの一方に配設され、前記第１の口金部に着脱自在に固定される第２の口金部とを有する固定機構を具備する請求項２に記載の洗浄システム。
【請求項４】
前記供給機構は、
前記供給孔部に直接着脱自在で前記流体を前記供給孔部に供給する筒状の供給部材と、前記供給部材に着脱自在に取り付けられ、前記供給部材に前記流体を供給する供給源とを有するユニットと、
前記供給孔部に着脱自在で、前記流体を前記供給孔部に直接供給する単独の供給源と、
の少なくとも一方を具備する請求項１に記載の洗浄システム。
【請求項５】
前記本体部の前記位置決め機構は、前記挿入部の挿入方向に対して直交する方向において前記開口部が前記供給孔部と同一直線上に配設されるように、前記本体部に対して前記挿入部の前記先端部を位置決めする請求項１に記載の洗浄システム。
【請求項６】
前記位置決め機構は、
前記本体部が前記挿入部の前記先端部を収納した際、前記挿入部の前記先端部が当接することによって、前記挿入部の挿入方向における前記本体部に対する前記挿入部の移動を規制する第１の規制部と、
前記本体部が前記挿入部の前記先端部を収納した際、前記挿入部の前記先端部が当接することによって、前記挿入部の軸周り方向における前記本体部に対する前記挿入部の移動を規制する第２の規制部と、
を具備する請求項５に記載の洗浄システム。
【請求項７】
前記供給孔部は一端から他端部にかけて二股に分かれ、前記二股に分かれた部分それぞれは、前記本体部の内部と連通するように前記本体部に配設され、前記本体部の前記内部に収納された前記挿入部の前記開口部におけるそれぞれ互いに対して異なる二つの部分に向けて前記流体を供給する請求項１に記載の洗浄システム。
【請求項８】
前記揺動台を操作する起上操作部を具備し、
前記起上操作部により起上した状態の前記揺動台と前記挿入部の前記先端部との間に向けて、前記二股に分かれた部分のうちの１つが前記流体を供給するように、前記位置決め機構は前記本体部に対して前記挿入部の前記先端部を位置決めする請求項７に記載の洗浄システム。
【請求項９】
先端側の周囲表面に開口部が配設される挿入機器の挿入部を洗浄する洗浄方法であって、
前記挿入部の種類毎に用意される筒状の本体部により、前記挿入部の先端部を収納し、
位置決め機構により、前記先端部に配設され且つ前記開口部から起上する揺動台が最大起上角度と最大倒置角度の間で起上して前記本体部の内周面に当接する状態に、前記挿入部の前記先端部を前記本体部に位置決めし、
前記挿入部それぞれに対応する前記本体部に対して共有される供給機構により、前記本体部に向けて流体を供給し、
前記供給機構が着脱自在で、前記供給機構から前記流体を供給され、前記本体部の内部と連通するように前記本体部に配設される供給孔部により、前記本体部の内部に収納された前記挿入部の前記開口部に向けて前記流体を供給し、前記挿入部を洗浄する洗浄方法。
【発明の詳細な説明】
【技術分野】
【０００１】
本発明は、挿入機器の挿入部を洗浄する洗浄システムに関する。
【背景技術】
【０００２】
例えば特許文献１は、例えば内視鏡である挿入機器に対する洗浄について開示している。挿入機器は、挿入部と、挿入部の先端部に配設されるカバー部とを有する。カバー部は洗浄具取付開口部を有する。【０００３】
複雑な形状を有する先端部が洗浄される際、洗浄液等の流体が先端部に向かって強力に噴射され、先端部は下洗いされる。この場合に用いられる洗浄システムは、先端部が挿入される筒状の本体部と、本体部に一体的に取り付けられ本体部に流体を供給する供給機構とを有する。
【先行技術文献】
【特許文献】
【０００４】
【特許文献１】特開平８−１９６５０５号公報
【発明の概要】
【発明が解決しようとする課題】
【０００５】
一般的に、仕様用途に応じて様々な種類の挿入機器が用意され、洗浄システムは挿入機器の種類毎に用意される必要がある。本体部が供給機構と一体である場合、挿入機器の種類に応じて洗浄システムの数が増えてしまい、洗浄システムの管理が容易ではなく、洗浄システムの保管スペースの確保が容易ではない。【０００６】
本発明は、これらの事情に鑑みてなされたものであり、管理が容易で、保管スペースの確保が容易な洗浄システムを提供することを目的とする。
【課題を解決するための手段】
【０００７】
本発明の洗浄システムの一態様は、先端側の周囲表面に開口部が配設される挿入機器の挿入部を洗浄する洗浄システムであって、前記挿入部の種類毎に用意され、前記挿入部の先端部を収納するとともに、前記先端部に配設され且つ前記開口部から起上する揺動台が最大起上角度と最大倒置角度との間で起上して本体部の内周面に当接する状態に、前記挿入部の前記先端部を位置決めする位置決め機構を有する筒状の本体部と、前記本体部の内部と連通するように前記本体部に配設され、前記本体部の内部に収納された前記挿入部の前記開口部に向けて流体を供給する供給孔部と、用意される前記挿入部それぞれに対応する前記本体部に対して共有され、前記供給孔部に向けて前記流体を供給し、前記供給孔部に着脱自在な供給機構と、を具備する。
本発明の洗浄方法の一態様は、先端側の周囲表面に開口部が配設される挿入機器の挿入部を洗浄する洗浄方法であって、前記挿入部の種類毎に用意される筒状の本体部により、前記挿入部の先端部を収納し、位置決め機構により、前記先端部に配設され且つ前記開口部から起上する揺動台が最大起上角度と最大倒置角度の間で起上して前記本体部の内周面に当接する状態に、前記挿入部の前記先端部を前記本体部に位置決めし、前記挿入部それぞれに対応する前記本体部に対して共有される供給機構により、前記本体部に向けて流体を供給し、前記供給機構が着脱自在で、前記供給機構から前記流体を供給され、前記本体部の内部と連通するように前記本体部に配設される供給孔部により、前記本体部の内部に収納された前記挿入部の前記開口部に向けて前記流体を供給し、前記挿入部を洗浄する。
【発明の効果】
【０００８】
本発明によれば、管理が容易で、保管スペースの確保が容易な洗浄システムを提供できる。
【図面の簡単な説明】
【０００９】
【図１】図１は、本発明の一実施形態に係る挿入システムの概略図である。
【図２Ａ】図２Ａは、一実施形態における先端構成部の上面図である。
【図２Ｂ】図２Ｂは、図２Ａに示す矢印２Ｂ側から見た先端構成部の前面図である。
【図３】図３は、最大倒置状態における揺動台を示す図である。
【図４】図４は、挿入システムに配設される挿入部の先端部を洗浄する洗浄システムの概略図である。
【図５Ａ】図５Ａは、洗浄システムに配設される供給部材が洗浄システムに配設される本体部に取り付けられた状態で、本体部が装着された先端部を含む挿入部を示す図である。
【図５Ｂ】図５Ｂは、洗浄システムに配設される供給源が本体部に取り付けられた状態で、本体部が装着された先端部を含む挿入部を示す図である。
【図６Ａ】図６Ａは、本体部を本体部の先端側から見た図である。
【図６Ｂ】図６Ｂは、挿入部の先端部に装着された本体部を本体部の先端側から見た図である。
【図６Ｃ】図６Ｃは、図６Ｂに示す６Ｃ−６Ｃ線における断面図である。
【図７Ａ】図７Ａは、洗浄システムに配設される連結部の構造を示す図である。
【図７Ｂ】図７Ｂは、連結部に配設される逆止弁部を示す図である。
【発明を実施するための形態】
【００１０】
以下、図面を参照して本発明の実施形態について詳細に説明する。  
［一実施形態］  
［構成］  
図１と図２Ａと図２Ｂと図３と図４と図５Ａと図５Ｂと図６Ａと図６Ｂと図６Ｃと図７Ａと図７Ｂとを参照して一実施形態について説明する。図１において、洗浄システム３００の図示を省略するように、一部の図面では、図示の明瞭化のために、一部の部材の図示を省略している。
【００１１】
［挿入システム１］
本実施形態の洗浄システム３００の洗浄対象は、一例として、処置具揺動台（以下、揺動台２０１と称する）を含む挿入部２０の先端部である。挿入部２０は挿入システム１としての内視鏡装置に配設され、挿入部２０の先端部は例えば先端構成部２５である。図１は、挿入システム１の構成を示す図である。図２Ａは、揺動台２０１を有する先端構成部２５の上面図である。図２Ｂは、先端構成部２５の前面から見た先端構成部２５の外観構成を示す図である。図３は、図２Ａに示す先端構成部２５内にて最大倒置状態における揺動台２０１の横断面の構成を示す図である。
【００１２】
［挿入機器１０］  
図１に示すように、挿入システム１は、主として、挿入機器１０と、挿入機器１０に照明光を供給する光源装置１１とを有する。挿入システム１は、挿入部２０の先端部に配設される図示しない撮像ユニットによって撮像された映像信号に対して画像処理を施し観察画像と観察画像に関する画像情報とを生成するビデオプロセッサを含む制御部１２と、観察画像と画像情報とを表示する表示部１３とを有する。挿入システム１は、観察画像と画像情報とを印刷する印刷部１５と、映像信号を記録する記録部１７とを有する。
【００１３】
ここでは、本実施形態の挿入機器１０は、一例として、体腔内、例えば十二指腸乳頭または胆膵等の管腔に挿入される側視型の医療用の内視鏡である。なお挿入機器１０は、本実施形態の洗浄システム３００によって洗浄されれば側視型の医療用の内視鏡に限定される必要はなく、直視型の医療用の内視鏡であってもよいし、管腔以外の部位に処置具を挿入させる医療用の内視鏡であってもよいし、工業用の内視鏡であってもよい。また挿入機器１０は、照明光学系及び観察光学系を有しない、例えばカテーテルまたはオーバーチューブであってもよい。挿入機器１０が洗浄のための流体が供給される開口部または部位を先端側の周囲表面に有し、開口部または部位が洗浄システム３００の本体部４００に挿抜されれば、開口部または部位は洗浄システム３００によって洗浄可能である。
【００１４】
このような挿入機器１０の挿入部２０に挿入される図示しない器具を挿入物と称する。この器具は、例えば、処置具と、処置具を患部にガイドするガイド部材とを含む。処置具は、鉗子を含む。
【００１５】
図１に示すように、挿入機器１０は、主として、長手軸Ｃ方向に沿って延設される挿入部２０と、挿入部２０を操作する操作部３０とを有する。挿入部２０は、操作部３０に連結され可撓性を有する可撓管部２１と、可撓管部２１の先端部に連結され、長手軸Ｃに対して湾曲可能な湾曲部２３と、湾曲部２３の先端部に連結され、揺動台２０１を収容する先端構成部２５とを有する。操作部３０は、ユニバーサルコード４１により光源装置１１及び制御部１２に接続される。挿入部２０の基端部と操作部３０との間には、挿入物を挿入部２０内に導入するための挿入口部３５ａが配設される。
図１及び図３に示す長手軸Ｃは、挿入部２０及び先端構成部２５の長尺となる方向であり、挿入部２０の軸方向を示す。
【００１６】
［先端構成部２５］  
図３に示すように、先端構成部２５と湾曲部２３との連結のために、先端構成部２５の基端部は湾曲部２３の節輪２３ａに嵌め込まれる。先端構成部２５は、例えばＳＵＳ等の金属によって形成される本体部１００と、本体部１００の周面をカバーし、電気絶縁性を有するカバー部１２０とを有する。このように先端構成部２５は、積層構造を有する。
節輪２３ａは筒状のカバー部材２３ｂによってカバーされており、カバー部材２３ｂの先端部は糸及び接着によって本体部１００に水密状態で固定される。
【００１７】
図２Ａ及び図２Ｂに示すように、先端構成部２５の外周面の一部は平坦化され、平坦な部分は、長手軸Ｃ方向に沿って配設されており、長手軸Ｃ方向に直交する方向において二分される。平坦な部分の一方には、平坦な観察面部１０１が形成される。観察面部１０１と外周面との間には段差が配設される。平坦な部分の他方には、先端開口部１０９と連通する収納部１０７が形成される。観察面部１０１は、先端開口部１０９から露出する平面部である。
観察面部１０１には、照明光を出射する照明窓部１０１ａ及び観察窓部１０１ｂが配置される。照明窓部１０１ａと観察窓部１０１ｂとは、長手軸Ｃ方向に沿って同一直線上に配設される。先端構成部２５は、先端構成部２５の内部に配設され且つ観察窓部１０１ｂに対向する図示しない撮像素子を有する。この観察面部１０１の近傍には、カバー部１２０の一部である壁部１０３が配設される。壁部１０３は、観察面部１０１に対して直交して配設され、観察面部１０１に対して立設される。壁部１０３には、ノズル部１０３ａが配設される。ノズル部１０３ａは、生理食塩水等の洗浄液を含む流体を照明窓部１０１ａと観察窓部１０１ｂとに向けて噴射する。照明窓部１０１ａと観察窓部１０１ｂとは流体によって洗浄される。尚、この観察面部１０１は、後述する位置決め機構４３０の第２の規制部４３３に対する基準位置（基準面）である。
【００１８】
先端開口部１０９は、挿入部２０の側周面に配設される。図３に示すように、収納部１０７は、先端開口部１０９を介して先端構成部２５の側方且つ外部に向かって開口する。収納部１０７には、揺動台２０１が揺動可能に収納及び設置される。
【００１９】
［揺動台２０１］  
揺動台２０１は、起上軸２０１ｂによって回動可能に軸支され、ワイヤ部材である牽引押圧部材２１１を介して起上操作部２００に連結される。牽引押圧部材２１１の先端部は揺動台２０１に連結され、牽引押圧部材２１１の基端部は起上操作部２００に連結される。起上操作部２００は、操作部３０に配設される。起上操作部２００の操作によって、揺動台２０１は回動して例えば９０度以上起上するまたは倒置される。具体的には、起上操作部２００は、牽引操作によって牽引押圧部材２１１を牽引し、牽引押圧部材２１１を介して揺動台２０１を起上させる。起上操作部２００は、押圧操作によって牽引押圧部材２１１を押圧し、牽引押圧部材２１１を介して揺動台２０１を倒置させる。このように揺動台２０１は、先端開口部１０９に連通する収納部１０７に収納され、収納部１０７において回動することにより先端開口部１０９から起上する。起上操作部２００は、揺動台２０１の回動を操作する。
揺動台２０１は、起上するタイプだけではなく、処置具を左右に振るタイプであってもよい。
【００２０】
本実施形態では、例えば、起上軸２０１ｂ周辺と収納部１０７から見て陰となる部位とには、体液及び生体組織片といった汚れが付着する。この部位とは、例えば、揺動台２０１の裏面と、揺動台２０１の裏面とカバー部１２０との間とである。揺動台２０１と、揺動台２０１の駆動機構（例えば牽引押圧部材２１１）とは、狭い収納部１０７内に設置されている。このため、汚れは、起上軸２０１ｂ周辺と部位とに対して落ちにくくなっている。
【００２１】
［洗浄システム３００］  
一般的に、例えば、流体と洗浄器具とは、倒置状態及び起上状態における揺動台２０１の裏面とカバー部１２０との間を含む収納部１０７に届きにくい。流体は、例えば、洗浄液と消毒液と含む。洗浄器具は、例えば、洗浄用のブラシである。流体が用いられる場合、流体は、先端開口部１０９から揺動台２０１の裏面とカバー部１２０との間に向かって勢いよく供給される。
一般的に、挿入機器１０において、仕様用途に応じて様々な種類の挿入機器１０が用意され、挿入システム１は挿入機器１０の種類毎に用意される洗浄システム３００を有する必要がある。言い換えると、洗浄システム３００は全ての挿入機器１０に対して共通化されておらず、挿入機器１０の種類の数だけ洗浄システム３００が用意されることとなる。結果として、洗浄システム３００の管理が容易ではなく、洗浄システム３００の保管スペースの確保が容易ではない。このため、管理が容易で、保管スペースの確保が容易な洗浄システム３００が求められている。本実施形態の洗浄システム３００において、洗浄システム３００の構成の一部は、挿入機器１０に対して共通化される。
【００２２】
図４に示すような洗浄システム３００は、先端側の周囲表面に先端開口部１０９が配設される挿入部２０を洗浄する。図４に示すように、洗浄システム３００は、挿入部２０の種類毎に用意され、挿入部２０の先端部を収納する筒状の本体部４００と、本体部４００の内部と連通するように本体部４００の肉厚部分に配設される供給孔部４０３とを有する。この種類とは、例えば、形状と大きさと仕様用途との少なくとも１つを示す。図４に示すように、洗浄システム３００は、用意される挿入部２０それぞれに対応する本体部４００に対して共有され、供給孔部４０３に向けて流体を供給し、供給孔部４０３に着脱自在な供給機構４４０を有する。
【００２３】
［本体部４００］  
図４と図５Ａと図５Ｂとに示すような本体部４００は、先端開口部１０９が配設される挿入部２０の先端部である例えば先端構成部２５が本体部４００に挿入されることによって、先端構成部２５に装着される。先端構成部２５が本体部４００に挿入された際、先端構成部２５が本体部４００に収納される。本体部４００は、先端構成部２５が本体部４００から抜去されることによって、先端構成部２５から取り外される。このように、本体部４００は、先端構成部２５に着脱（挿抜）可能である。
本実施形態では、少なくとも１つの本体部４００が、用意される挿入部２０の種類に応じて用意される。具体的には、複数の本体部４００は、用意される先端構成部２５の種類に応じて用意される。例えば、複数の先端構成部２５の形状が互いに対して同一であっても、複数の先端構成部２５の大きさが互いに対して異なれば、本体部４００は複数の先端構成部２５それぞれに用意される。なお本体部４００は、先端構成部２５に対して交換可能である。用意された本体部４００は、例えば術式及び用いられる内視鏡の種類に応じて、適宜選択される。例えば、本体部４００の内径それぞれは、本体部４００が装着される先端構成部２５の種類に応じて互いに対して異なる。なおこの点は、外径についても同様である。
【００２４】
本体部４００は、例えば円筒形状を有する。図６Ｃに示すように本体部４００の両端部は、開口している。
【００２５】
図６Ａと図６Ｂと図６Ｃとに示すように、本体部４００は、本体部４００の内周面の一部が本体部４００の内部に向かって突出することによって形成される凸部４０１を有する。凸部４０１は、揺動台２０１が最大起上角度と最大倒置角度との間の角度にて起上した際に、揺動台２０１の端部が凸部４０１の平面部４０１ａに当接するような高さを有する。揺動台２０１は、内周面である平面部４０１ａに対する揺動台２０１の当接によって、挿入部２０の挿入方向における本体部４００に対する挿入部２０の移動を規制し、挿入部２０の軸周り方向における本体部４００に対する挿入部２０の移動を規制する。言い換えると、揺動台２０１が平面部４０１ａに当接することによって、本体部４００と先端構成部２５とは、挿入方向と軸周り方向とにおいて、互いに対して相対的に位置決めされる。  
このように、平面部４０１ａと揺動台２０１とは、挿入方向と軸周り方向とにおいて本体部４００と先端構成部２５とを互いに対して相対的に位置決めする。そして本体部４００は、位置決めされた状態で、先端構成部２５に装着される。
【００２６】
図６Ｃに示すように、平面部４０１ａは、本体部４００に対する先端構成部２５の挿抜方向に沿って配設されており、長手軸Ｃに対して平行に配設される。
【００２７】
例えば、起上軸２０１ｂから最も離れた部位である揺動台２０１の端部において、平面部４０１ａと当接する部位は、例えば、ガイド面２０１ａの端部である。
【００２８】
図６Ｃに示すように、揺動台２０１が平面部４０１ａに当接することによって、揺動台２０１は起上角度を制限される。
【００２９】
図６Ａと図６Ｂとに示すように、凸部４０１は、前記したように本体部４００が先端構成部２５に装着された際、凸部４０１の後面４０１ｂに配設され、ノズル部１０３ａが当接することによってノズル部１０３ａをカバーするノズルカバー部４０１ｃを有する。
図２Ａと図６Ｂとに示すように、壁部１０３が後面４０１ｂに当接することによって、挿入方向において、本体部４００は先端構成部２５に対して位置決めされる。
【００３０】
図６Ａと図６Ｂと図６Ｃとに示すように、本体部４００は、挿入部２０の挿入方向に対して直交する方向において先端開口部１０９が供給孔部４０３と同一直線上に配設されるように、本体部４００に対して挿入部２０の先端部を位置決めする位置決め機構４３０を有する。
【００３１】
図６Ａと図６Ｂと図６Ｃとに示すように、位置決め機構４３０は、前記したように本体部４００が挿入部２０の先端部を収納した際、先端部におけるカバー部１２０の先端部が当接し、当接によって挿入部２０の挿入方向における本体部４００に対する挿入部２０の移動を規制する第１の規制部４３１を有する。
図６Ｃに示すように、第１の規制部４３１は、例えば、本体部４００の径方向において凸部４０１とは反対側に配設される。第１の規制部４３１は、例えば、本体部４００の内周面の一部が本体部４００の内部に向かって突出することによって形成される凸部として形成される。第１の規制部４３１は、挿入方向においてカバー部１２０の先端よりも前方に配設され、先端が当接する例えば壁部として機能する。第１の規制部４３１は、本体部４００とは一体であるが、別体であってもよい。
【００３２】
第１の規制部４３１がカバー部１２０の先端に当接するタイミングは、例えば壁部１０３が後面４０１ｂに当接するタイミングと同時である。なお、第１の規制部４３１とカバー部１２０の先端との当接と、壁部１０３と後面４０１ｂとの当接とのどちらか一方が先に実施されてもよい。
【００３３】
図６Ａと図６Ｂとに示すように、位置決め機構４３０は、前記したように本体部４００が挿入部２０の先端部を収納した際、先端部における観察面部１０１が当接し、当接によって挿入部２０の軸周り方向における本体部４００に対する挿入部２０の移動を規制する第２の規制部４３３を有する。
【００３４】
第２の規制部４３３は、第１の規制部４３１とは異なる位置に配設される。第２の規制部４３３は、例えば、挿入方向において第１の規制部４３１よりも後方に配設される。第２の規制部４３３は、本体部４００の内周面の一部が本体部４００の内部に向かって突出することによって形成され、平面部である観察面部１０１が当接する壁部として形成される。第２の規制部４３３は、凸部４０１に配設される平面部であり、平面部４０１ａに隣り合っており、平面部４０１ａよりも下方（本体部４００の内部）に向かって突出している。
【００３５】
図６Ｃに示すように、このような位置決め機構４３０は、供給孔部４０３が、起上状態の揺動台２０１と挿入部２０の先端部との間に向けて、具体的には起上状態の揺動台２０１とカバー部１２０の先端との間と、牽引押圧部材２１１の先端部とに向けて、流体を供給するように、本体部４００に対して挿入部２０の先端部を位置決めする。
【００３６】
詳細には、カバー部１２０の先端が第１の規制部４３１に当接し、観察面部１０１が第２の規制部４３３に当接し、壁部１０３が後面４０１ｂに当接し、揺動台２０１が平面部４０１ａに当接した際に、後述する第１供給孔部４０３ａの先端部が揺動台２０１とカバー部１２０の先端との間に向かって開口し、且つ第２供給孔部４０３ｂの先端部が牽引押圧部材２１１の先端部に向かって開口するように、位置決め機構４３０は本体部４００に対して挿入部２０の先端部を位置決めする。
【００３７】
［供給孔部４０３］  
図６Ｃに示すように、供給孔部４０３は、本体部４００の内部に収納された挿入部２０の先端開口部１０９に向けて流体を供給する。
【００３８】
図６Ｃに示すように、供給孔部４０３は、例えば本体部４００と一体的である。図４に示すように、供給孔部４０３の一端部は、本体部４００から外側に向かって突出している。この一端部は、一端部が供給機構４４０の供給部材５００と連通するように、供給部材５００に対して着脱自在となっている。また一端部は、一端部が供給機構４４０の供給源６００ｂと連通するように、供給源６００ｂに対して着脱自在となっている。供給孔部４０３の他端部は、二股に分かれて、例えば「ｙ」字形状を有する部分である。
【００３９】
図６Ｃに示すように、揺動台２０１が凸部４０１に当接している状態で、供給孔部４０３の第１供給孔部４０３ａの先端部は、第１供給孔部４０３ａの軸方向において揺動台２０１とカバー部１２０の先端との間に向かって開口している。この状態で、供給孔部４０３の第２供給孔部４０３ｂの先端部は、第２供給孔部４０３ｂの軸方向において牽引押圧部材２１１の先端部に向かって開口している。このように供給孔部４０３は、先端構成部２５の挿抜方向において揺動台２０１の前後に配設される。
【００４０】
第２供給孔部４０３ｂの先端部は、第１供給孔部４０３ａの先端部よりも本体部４００の径方向において外側に配設され、凸部４０１の後面４０１ｂ側に配設される。
第２供給孔部４０３ｂの基端部は、第１供給孔部４０３ａに合流している。第１供給孔部４０３ａの基端部は、本体部４００の径方向に沿って配設され、供給部材５００または供給源６００ｂと連通する。一例として、第１供給孔部４０３ａは、本体部４００の径方向に沿って言い換えると本体部４００の軸方向に対して直交して配設される。第２供給孔部４０３ｂは、第１供給孔部４０３ａに対して傾斜している。
【００４１】
詳細には、第２供給孔部４０３ｂは、本体部４００の軸方向に対して直交する方向に対して例えば鋭角に傾斜している。
図示はしないが、第２供給孔部４０３ｂは、第２供給孔部４０３ｂを上方から見た際に、本体部４００の中心軸から本体部４００の側面に向かって形成されてもよい。
【００４２】
このように、流体の流路部は、１つの供給機構４４０と、第１供給孔部４０３ａと第２供給孔部４０３ｂとを有する供給孔部４０３とを有することとなる。
【００４３】
本体部４００は、例えば、洗浄の状況が外部から判断されるように、透明な部材によって形成される。本体部４００の内形は、先端構成部２５の外形よりも大きい。このため、本体部４００が先端構成部２５に装着された際、本体部４００と先端構成部２５との間には隙間部４１９が形成される。本体部４００の両端部は、開口している。隙間部４１９と開口している両端部とは、流体を本体部４００の外部に流すための流路部として機能する。隙間部４１９と開口している両端部とによって、流体は確実に本体部４００の外部に排出される。
【００４４】
［供給機構４４０］  
図４と図５Ａと図５Ｂとに示すように、供給機構４４０は、筒状の供給部材５００と供給源６００ａとを有するユニット４５０と、単独の供給源６００ｂとの少なくとも一方を有する。ユニット４５０は、供給部材５００に供給源６００ａを取り付ける連結部７００を有する。
【００４５】
図４と図５Ａとに示すように、供給部材５００は、供給部材５００が本体部４００の内部と連通するように、供給孔部４０３に直接着脱自在である。供給部材５００は、流体を供給孔部４０３に直接供給する。供給部材５００は、連結部７００から延出されるチューブとして機能する。
【００４６】
図４と図５Ａと図５Ｂとに示すように、供給源６００ａは、連結部７００を介して供給部材５００に着脱自在に取り付けられ、供給部材５００に流体を供給するシリンジを有する。
【００４７】
図４と図５Ｂとに示すように、供給源６００ｂは、供給孔部４０３に直接着脱自在で、流体を供給孔部４０３に直接供給するシリンジを有する。供給源６００ｂが連結部７００の取付口部７０１に着脱自在であれば、供給源６００ｂは供給源６００ａとして機能することが可能である。つまり供給源６００ｂは、供給源６００ａと同一の部材である。なお供給源６００ｂは、取付口部７０１に取り付け不可能で、供給源６００ａとは別の部材であってもよい。
【００４８】
図４と図５Ａと図５Ｂとに示すように、供給部材５００と供給源６００ｂとは、本体部４００に対して直接着脱自在に固定される。言い換えると、供給源６００ａは供給部材５００を介して本体部４００に間接的に着脱自在に固定され、供給源６００ｂは本体部４００に直接的に着脱自在に固定される。供給部材５００と供給源６００ｂとは、供給孔部４０３に直接着脱自在に固定される。
供給部材５００と供給源６００ｂとの両方が本体部４００に対して着脱自在でなくても、どちらか一方が着脱自在であってもよい。
【００４９】
供給源６００ａ，６００ｂは、ポンプ等を有してもよい。
【００５０】
［連結部７００］  
図４と図７Ａとに示すように、連結部７００は、供給部材５００の基端部に配設され、供給源６００ａが取り付けられる取付口部７０１を有する。
【００５１】
図７Ａに示すように、連結部７００は、連結部７００の内部に配設される第１逆止弁部７０３ａと第２逆止弁部７０３ｂとを有する。
第１逆止弁部７０３ａは、連結部７００と供給部材５００との連結部分に配設されており、流体が連結部７００から供給部材５００に向かって流れるように動作する。
【００５２】
第２逆止弁部７０３ｂは、連結部７００と吸引部材８００との連結部分に配設されており、流体が吸引部材８００から連結部７００に向かって流れるように動作する。
図７Ｂに示すように、第１逆止弁部７０３ａと第２逆止弁部７０３ｂとは、例えば、円形状を有する。また第１逆止弁部７０３ａと第２逆止弁部７０３ｂとは、Ｃ字形状のスリット部７０３ｃを有する。
スリット部７０３ｃは、厚み方向において第１逆止弁部７０３ａと第２逆止弁部７０３ｂとを貫通しており、流体が流れる流路として機能する。
【００５３】
図４に示すように、連結部７００は、連結部７００から延出されるチューブとして機能する筒状の吸引部材８００を有する。吸引部材８００の端部には、重り部材８０１が配設される。
【００５４】
［固定機構９０５］  
図４と図５Ａと図５Ｂとに示すように、洗浄システム３００は、供給孔部４０３と供給機構４４０とに配設され、供給孔部４０３と供給機構４４０とを互いに対して着脱自在に固定する固定機構９０５を有する。固定機構９０５は、特に限定されないが、例えば、供給孔部４０３に配設されている例えばメス型の口金部９０５ａと、供給部材５００と供給源６００ｂとに配設されている例えばオス型の口金部９０５ｂとを有する。口金部９０５ａは、口金部９０５ｂに例えば螺合によって接続される。
第１の口金部９０５ａが供給部材５００と供給源６００ｂに配設され、第２の口金部９０５ｂが供給孔部４０３に配設されてもよい。つまり供給孔部４０３と、供給部材５００と供給源６００ｂとの一方に第１の口金部９０５ａが配設され、残りの一方に第２の口金部９０５ｂが配設され、第１の口金部９０５ａと第２の口金部９０５ｂとが互いに対して着脱自在に固定可能となっていればよい。
口金部９０５ａは、本体部４００の種類に影響されることなく、全ての本体部４００に対して共通のサイズであることが好適である。なお口金部９０５ａは、取付口部７０１に配設されてもよい。
【００５５】
このように口金部９０５ａと口金部９０５ｂとの一方は供給孔部４０３に配設され、口金部９０５ａと口金部９０５ｂとの残りの一方は供給機構４４０に配設される。
【００５６】
［作用］  
挿入部２０が体腔内に挿入され、挿入物は挿入口部３５ａから挿入部２０に挿入される。挿入物は、挿入口部３５ａと連続するチャンネル３５ｂを挿通し、先端開口部１０９から体腔内に挿入される。起上操作部２００が操作されると、揺動台２０１が起上または倒置される。これにより、揺動台２０１の回動角度が調整され、挿入物は患部に近づき患部を観察または処置する。
【００５７】
挿入部２０が体腔内に挿入されると、挿入部２０は体液等の汚れに触れる。汚れは、例えば、揺動台２０１と起上軸２０１ｂ周辺と牽引押圧部材２１１の先端部とに付着する。このため、これらは、術後において、ガーゼ及び洗浄器具によって予備洗浄される。そして、挿入機器１０は、洗浄システム３００によって洗浄及び消毒される。
【００５８】
壁部１０３が後面４０１ｂ当接し、またはカバー部１２０の先端が第１の規制部４３１に当接し、且つ観察面部１０１が第２の規制部４３３に当接するまで、先端構成部２５は本体部４００に挿入される。そして揺動台２０１は最大起上角度と最大倒置角度との間の角度にて起上し、揺動台２０１は平面部４０１ａに当接する。
【００５９】
第１供給孔部４０３ａの先端部が第１供給孔部４０３ａの軸方向において揺動台２０１とカバー部１２０の先端との間に向かって開口し、且つ第２供給孔部４０３ｂの先端部が第２供給孔部４０３ｂの軸方向において牽引押圧部材２１１の先端部に向かって開口するように、挿入部２０の先端部は第１の規制部４３１と第２の規制部４３３とによって本体部４００に対して位置決めされる。
【００６０】
このとき、挿入部２０の挿入方向において、本体部４００に対する挿入部２０の移動は第１の規制部４３１によって規制される。挿入部２０の軸周り方向において、本体部４００に対する挿入部２０の移動は第２の規制部４３３によって規制される。揺動台２０１が平面部４０１ａに当接することによって、本体部４００と先端構成部２５とは、挿入方向と軸周り方向とにおいて、互いに対して相対的に位置決めされる。ノズルカバー部４０１ｃがノズル部１０３ａに当接することによって、挿入方向において、本体部４００は先端構成部２５に対して位置決めされる。
【００６１】
本体部４００が先端構成部２５に装着された後、本体部４００は、挿入部２０と共に、容器９０１に充填されている水等の流体中に沈められる。容器９０１は、例えば、透明な部材によって形成される。重り部材８０１を含む吸引部材８００の端部は、容器９０３に充填されている洗浄液等の流体中に沈められる。
【００６２】
図５Ａに示すように供給源６００ａが取付口部７０１に取付けられ、供給源６００ａのシリンジが引かれると、容器９０３に充填されている流体が吸引部材８００を介して吸引される。次に供給源６００ａのシリンジが押されると、吸引された流体は供給部材５００と供給孔部４０３とを介して収納部１０７に勢いよく供給される。
【００６３】
詳細には、流体は、第１供給孔部４０３ａの先端部から揺動台２０１の裏面とカバー部１２０との間に勢いよく供給され、第２供給孔部４０３ｂの先端部から牽引押圧部材２１１の先端部に勢いよく供給される。供給された流体は、本体部４００の内周面によって、飛び散ることを防止されると共に、隙間部４１９を介して本体部４００の両端部から容器９０１内に流れる。
【００６４】
前記した動作が繰り返されると、汚れは取り除かれ、収納部１０７と起上状態の揺動台２０１と挿入部２０の先端との間と揺動台２０１と起上軸２０１ｂ周辺と牽引押圧部材２１１の先端部とは洗浄される。
【００６５】
なお前記した内容は、供給源６００ｂが供給孔部４０３に直接取り付けられても略同様である。
【００６６】
本体部４００は、先端構成部２５の種類に応じて交換可能となっており、先端構成部２５の種類に応じて用意される。しかしながら、供給機構４４０は、用意される挿入部２０に対応する本体部４００に対して共有されており、少なくとも供給源６００ｂのみが用意されればよい。このため、洗浄システム３００の管理は容易で、洗浄システム３００の保管スペースの確保は容易となる。
【００６７】
［効果］  
本実施形態では、供給機構４４０を本体部４００に対して共通化できる。よって本実施形態は、管理が容易で、保管スペースの確保が容易な洗浄システム３００を提供できる。
【００６８】
本実施形態では、供給機構４４０は、供給部材５００と供給源６００ａとを有するユニット４５０と、単独の供給源６００ｂとの少なくとも一方を有する。このため本実施形態では、洗浄方法を多様化できる。
【００６９】
本実施形態では、供給源６００ａは、供給源６００ｂと同一の部材である。これにより部品点数を削減でき、さらに容易に管理でき、さらに容易に保管スペースを確保できる。
【００７０】
本実施形態では、固定機構９０５によって、供給部材５００と供給源６００ｂとを供給孔部４０３から取り外し可能にできる。よって本実施形態では、本体部４００と供給機構４４０とを別体として管理及び保管でき、容易に保管スペースを確保できる。
【００７１】
本実施形態では、位置決め機構４３０によって、挿入部２０の挿入方向に対して直交する方向において先端開口部１０９を供給孔部４０３と同一直線上に配設できる。
本実施形態では、第１の規制部４３１によって、挿入部２０の挿入方向における本体部４００に対する挿入部２０の移動を規制できる。
本実施形態では、第２の規制部４３３によって、挿入部２０の軸周り方向における本体部４００に対する挿入部２０の移動を規制できる。
このため収納部１０７と起上状態の揺動台２０１と挿入部２０の先端との間と揺動台２０１と起上軸２０１ｂ周辺と牽引押圧部材２１１の先端部といった汚れが付着した部位に、流体を無駄なく供給でき、これらを効率よく洗浄できる。
【００７２】
本実施形態では、位置決め機構４３０によって、供給孔部４０３が、起上状態の揺動台２０１と挿入部２０の先端との間と、牽引押圧部材２１１の先端部とに向けて、流体を供給できる。
【００７３】
本実施形態では、揺動台２０１が最大起上角度と最大倒置角度との間の角度にて起上した際に、揺動台２０１が平面部４０１ａに当接する。これにより、挿入部２０の挿入方向における本体部４００に対する挿入部２０の移動を規制でき、挿入部２０の軸周り方向における本体部４００に対する挿入部２０の移動を規制できる。このため流体を無駄なく供給でき、効率よい洗浄を実施できる。
【００７４】
本実施形態では、本体部４００は筒形状を有するため、流体を本体部４００の両端部から容器９０１に流すことができる。
【００７５】
本実施形態では、第１供給孔部４０３ａの先端部は揺動台２０１とカバー部１２０の先端との間に向かって開口し、第２供給孔部４０３ｂの先端部は牽引押圧部材２１１に向かって開口するように、ノズルカバー部４０１ｃと凸部４０１と位置決め機構４３０とによって本体部４００を先端構成部２５に対して容易に装着及び位置決め固定できる。
【００７６】
本実施形態では、本体部４００が先端構成部２５に装着された際、揺動台２０１が最大起上角度と最大倒置角度との間の角度にて起上する。このため、揺動台２０１の搖動を規制する規制部材２０７ａ周辺にまで流体を供給でき、規制部材２０７ａ周辺を効率よく洗浄できる。規制部材２０７ａは、揺動台２０１の側面に配設され、揺動台２０１の回動に伴い移動する。規制部材２０７ａは、例えば起上軸２０１ｂに平行に配設され、規制部材２０７ａの軸周りに回転可能な棒状部材である。規制部材２０７ａは、揺動台２０１の起上に伴って所定の部位に当接し、揺動台２０１の倒置に伴って別の所定の部位に当接する。この当接によって、規制部材２０７ａは揺動台２０１の回動範囲を規制する。
規制部材２０７ａは、先端開口部１０９から最も離れた位置に配設される。このため、規制部材２０７ａ周辺にまで流体を強い圧力で複数回供給することにより、洗浄性をより高めることができる。
本実施形態では、牽引押圧部材２１１は略直線状態であり、牽引押圧部材２１１の先端部の外周面は大部分露出することとなる。よって本実施形態では、牽引押圧部材２１１の先端部の周囲も併せて容易に洗浄できる。
【００７７】
流体が第２供給孔部４０３ｂから先端構成部２５に供給される際、供給される流体の流圧によって、先端構成部２５を本体部４００から抜去させる力が先端構成部２５に作用する。しかしながら、本実施形態では、揺動台２０１が平面部４０１ａに当接するため、先端構成部２５が本体部４００から抜去されることを防止できる。
【００７８】
本実施形態では、第１供給孔部４０３ａによって、揺動台２０１の裏面と、揺動台２０１の裏面とカバー部１２０の先端との間を確実に洗浄できる。第２供給孔部４０３ｂによって、牽引押圧部材２１１の先端部の周辺を洗浄できる。
【００７９】
本実施形態では、供給源６００ａ，６００ｂを操作するのみで、流体を繰り返し簡単に大量に供給できる。
【００８０】
本実施形態では、本体部４００が透明な部材によって形成されるため、洗浄状態を目視できる。
【００８１】
本実施形態では、隙間部４１９が形成される。このため、流体を、隙間部４１９を介して先端構成部２５の外周面にまで確実に供給でき、先端構成部２５の外周面も洗浄できる。  
本実施形態では、隙間部４１９によって流体を確実に本体部４００の外部に流すことができ、流体が本体部４００の内部に残留することを一層防止できる。
【００８２】
本実施形態では、壁部１０３が後面４０１ｂに当接した際にノズルカバー部４０１ｃがノズル部１０３ａをカバーする。このため、流体がノズル部１０３ａに詰まることを防止できる。
【００８３】
本実施形態では、本体部４００を含む洗浄システム３００は、内視鏡の挿入部２０だけでなく、カテーテルやオーバーチューブといった挿入機器１０の挿入部２０に適用可能である。
【００８４】
本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。
【図１】
0006013658.tif 000002
【図２Ａ】
0006013658.tif 000003
【図２Ｂ】
0006013658.tif 000004
【図３】
0006013658.tif 000005
【図４】
0006013658.tif 000006
【図５Ａ】
0006013658.tif 000007
【図５Ｂ】
0006013658.tif 000008
【図６Ａ】
0006013658.tif 000009
【図６Ｂ】
0006013658.tif 000010
【図６Ｃ】
0006013658.tif 000011
【図７Ａ】
0006013658.tif 000012
【図７Ｂ】
0006013658.tif 000013